(57)【要約】      （修正有）【課題】ユーザがより気づきやすくなる携帯端末携帯端末の制御方法及び携帯端末用プログラムを提供する。【解決手段】他の端末と接続可能な携帯端末において、携帯端末のユーザに対して通知する通知情報を決定しＳ１、Ｓ２、携帯端末をユーザが使用中であることを判定しＳ３、Ｓ７、携帯端末と接続された他の端末を検出しＳ１０、携帯端末をユーザが使用中である場合、通知情報を通知しＳ５、Ｓ９、携帯端末をユーザが使用中でない場合、検出された他の端末に対し、通知情報を送信するＳ１２。【選択図】図８
2016184276.tif 000002
【特許請求の範囲】
【請求項１】
他の端末と接続可能な携帯端末において、
前記携帯端末のユーザに対して通知する通知情報を決定する通知情報決定手段と、
前記携帯端末を前記ユーザが使用中であることを判定する使用判定手段と、
前記携帯端末と接続された前記他の端末を検出する端末検出手段と、
前記携帯端末を前記ユーザが使用中である場合、前記通知情報を通知する通知手段と、
前記携帯端末を前記ユーザが使用中でない場合、前記端末検出手段により検出された前記他の端末に対し、前記通知情報を送信する送信手段と、
を備えることを特徴とする携帯端末。
【請求項２】
請求項１に記載の携帯端末において、
移動体から当該移動体の位置情報および移動方向を受信する受信手段と、
前記携帯端末の現在位置情報を取得する現在位置情報取得手段と、
前記移動体の位置情報および移動方向と、前記携帯端末の現在位置情報とに基づいた、前記移動体との接触可能性を判定した判定結果を取得する判定結果取得手段と、
を更に備え、
前記通知情報決定手段は、前記判定結果に基づき、接触可能性があることを通知情報として決定することを特徴とする携帯端末。
【請求項３】
請求項１または請求項２に記載の携帯端末において、
前記通知情報決定手段が、予め決められた時間内に前記通知情報を再度決定した場合には、
前記通知手段は、前記通知情報を再度通知せず、
前記送信手段は、前記通知情報を再度送信しないことを特徴とする携帯端末。
【請求項４】
請求項３に記載の携帯端末において、
前記通知情報を前記ユーザに通知する必要性を判定する通知判定手段を更に備え、
前記予め決められた時間内であっても、前記通知判定手段が前記通知情報を通知する必要性があると判定した場合、
前記通知手段は、前記通知情報を再度通知し、
前記送信手段は、前記通知情報を再度送信することを特徴とする携帯端末。
【請求項５】
請求項１から請求項４のいずれか１項に記載の携帯端末において、
前記使用判定手段は、前記携帯端末の使用態様を判定し、
前記通知手段は、携帯端末の使用態様としてユーザが歩きながら操作していると判定された場合は、前記通知情報を前記携帯端末の表示部に表示し、携帯端末の使用態様としてコンテンツを再生していると判定された場合は、前記通知情報を音声情報として出力することを特徴とする携帯端末。
【請求項６】
他の端末と接続可能な携帯端末の制御方法において、
通知情報決定手段が、前記携帯端末のユーザに対して通知する通知情報を決定する通知情報決定ステップと、
使用判定手段が、前記携帯端末を前記ユーザが使用中であることを判定する使用判定ステップと、
端末検出手段が、前記携帯端末と接続された前記他の端末を検出する端末検出ステップと、
通知手段が、前記携帯端末を前記ユーザが使用中である場合、前記通知情報を通知する通知ステップと、
送信手段が、前記携帯端末を前記ユーザが使用中でない場合、前記端末検出手段により検出された前記他の端末に対し、前記通知情報を送信する送信ステップと、
を有することを特徴とする携帯端末の制御方法。
【請求項７】
コンピュータを、請求項１から請求項５のいずれか１項に記載の携帯端末として機能させることを特徴とする携帯端末用プログラム。
【発明の詳細な説明】
【技術分野】
【０００１】
本願は、携帯端末、携帯端末の制御方法、および、携帯端末用プログラムの技術分野に属する。
【背景技術】
【０００２】
歩行者と移動体の一例の車両において、歩行者に車両の接近を、車両に歩行者の接近を知らせるシステムが開発されている。例えば、下記特許文献１には、車両に搭載された車載無線通信装置と歩行者が携帯する携帯無線通信装置を用いて、車両の走行情報、歩行者の位置情報を直接無線で通信する無線通信システムが開示されている。
【先行技術文献】
【特許文献】
【０００３】
【特許文献１】特開２００９−２１７３５０号公報
【発明の概要】
【発明が解決しようとする課題】
【０００４】
しかしながら、上記特許文献１に記載されている技術では、携帯電話をバッグにしまっている場合は、通知があってもユーザは気づかないという点に問題があった。
【０００５】
そこで本願は、上記の各問題点に鑑みて為されたもので、その課題の一例は、ユーザがより気づきやすくなる携帯端末等を提供することにある。
【課題を解決するための手段】
【０００６】
上記課題を解決するため、請求項１に記載の発明は、他の端末と接続可能な携帯端末において、前記携帯端末のユーザに対して通知する通知情報を決定する通知情報決定手段と、前記携帯端末を前記ユーザが使用中であることを判定する使用判定手段と、前記携帯端末と接続された前記他の端末を検出する端末検出手段と、前記携帯端末を前記ユーザが使用中である場合、前記通知情報を通知する通知手段と、前記携帯端末を前記ユーザが使用中でない場合、前記端末検出手段により検出された前記他の端末に対し、前記通知情報を送信する送信手段と、を備えることを特徴とする。
【０００７】
また請求項６に記載の発明は、他の端末と接続可能な携帯端末の制御方法において、通知情報決定手段が、前記携帯端末のユーザに対して通知する通知情報を決定する通知情報決定ステップと、使用判定手段が、前記携帯端末を前記ユーザが使用中であることを判定する使用判定ステップと、端末検出手段が、前記携帯端末と接続された前記他の端末を検出する端末検出ステップと、通知手段が、前記携帯端末を前記ユーザが使用中である場合、前記通知情報を通知する通知ステップと、送信手段が、前記携帯端末を前記ユーザが使用中でない場合、前記端末検出手段により検出された前記他の端末に対し、前記通知情報を送信する送信ステップと、を有することを特徴とする。
【図面の簡単な説明】
【０００８】
【図１】実施形態に係る携帯端末の概要構成の一例を示すブロック図である。
【図２】実施例に係る通知システムの概略構成の一例を示す模式図である。
【図３】実施例に係る端末装置の概要構成の一例を示すブロック図である。
【図４】実施例に係るウェアラブル端末装置の概要構成の一例を示すブロック図である。
【図５】実施例に係るサーバ装置の概要構成の一例を示すブロック図である。
【図６】図５のサーバ装置の移動体データベースの一例を示す模式図である。
【図７】実施例に係る車載装置の概要構成の一例を示すブロック図である。
【図８】実施例に係る端末装置の動作の一例を示すフローチャートである。
【図９】ユーザと車との位置関係の一例を示す模式図である。
【図１０】図３の端末装置の表示部における表示の一例を示す模式図である。
【図１１】図４のウェアラブル端末装置の表示部における表示の一例を示す模式図である。
【図１２】図４のウェアラブル端末装置の表示部における表示の一例を示す模式図である。
【発明を実施するための形態】
【０００９】
本願を実施するための形態について、図１を用いて説明する。なお図１は、実施形態に係る携帯端末の概要構成の一例を示すブロック図である。
【００１０】
図１に示すように、携帯端末１は、通知情報決定手段１ａと、使用判定手段１ｂと、端末検出手段１ｃと、通知手段１ｄと、送信手段１ｅと、を備えて構成されている。ここで、携帯端末１の一例として、スマートフォンを含む携帯型無線電話機やＰＤＡ等の携帯端末装置、ユーザが装着したウェアラブル端末装置等が挙げられる。
【００１１】
この構成において通知情報決定手段１ａは、携帯端末１のユーザに対して通知する通知情報を決定する。通知情報の一例として、ユーザと移動体との接近の有無、移動体の接近方向、移動体の位置、ユーザと移動体とが出会う位置、振動、メールの通知、着信等が挙げられる。この移動体の一例として、自動車等の車両、自動二輪車、航空機、船舶、歩行者等が挙げられる。
【００１２】
使用判定手段１ｂは、携帯端末１をユーザが使用中であることを判定する。例えば、携帯端末１をユーザが使用中である一例として、携帯端末１の表示部の画面がロックの状態でない場合、携帯端末１の撮影部からの画像に基づき画像に外の風景が写っている場合、携帯端末１の撮影部からの画像に基づきユーザの顔が写っている場合、携帯端末１の操作部からの情報に基づき、表示部のタッチパネル等が操作されている場合等が挙げられる。
【００１３】
端末検出手段１ｃは、携帯端末１と接続された他の端末を検出する。他の端末の一例として、ユーザが所有していて通信圏内にある他の携帯端末や、携帯端末１のユーザが装着しているウェアラブル端末等が挙げられる。ウェアラブル端末装置の一例として、時計型、眼鏡型、コンタクトレンズ型、リストバンド型、服装型等が挙げられる。
【００１４】
通知手段１ｄは、携帯端末１をユーザが使用中である場合、通知情報を通知する。例えば、携帯端末１の表示部に通知情報を通知したり、携帯端末１の振動部を振動させたり、携帯端末１のスピーカ部から音で通知情報を通知したりする。
【００１５】
送信手段１ｅは、携帯端末１をユーザが使用中でない場合、端末検出手段１ｃにより検出された他の端末に対し、通知情報を送信する。例えば、電波による無線通信、または、赤外線による光無線データ通信により、通知情報を送信する。
【００１６】
以上説明したように、実施形態に係る端末装置１０の動作によれば、ユーザの携帯端末の使用中か否かで、携帯端末から通知するか、他の端末から通知するのかを切り分けるので、ユーザが気づきやすくなる。
【実施例】
【００１７】
［１．通知システムの構成および機能概要］
【００１８】
次に、上述した実施形態に対応する具体的な実施例について、図を用いて説明する。なお以下に説明する実施例は、ウェアラブル端末装置を装着したユーザが携帯する端末装置に対して、本願を適用した場合の実施例である。
【００１９】
図２は、実施例に係る通知システムの概略構成の一例を示す模式図である。
【００２０】
図２に示すように、実施形態に係る通知システム２は、ユーザ６が携帯する端末装置１０と、ユーザ６が装着したウェアラブル端末装置２０と、ユーザ６および車両５から情報を取得して各種処理を行うサーバ装置３０と、車両５に搭載された車載装置４０と、を備えている。
【００２１】
端末装置１０（携帯端末１の一例）は、スマートフォンを含む携帯型無線電話機やＰＤＡ等の携帯端末装置である。ユーザは、端末装置１０にインストールされたアプリケーションを利用して、ルート案内、音楽の再生、電話等を行う。また、端末装置１０は、車両５が接近していることを、ユーザに通知する。
【００２２】
ウェアラブル端末装置２０は、時計型、眼鏡型、コンタクトレンズ型、リストバンド型、服装型等のウェアラブル端末装置である。ウェアラブル端末装置２０は、車両５が接近していることを、ユーザに通知する。
【００２３】
サーバ装置３０は、各端末装置１０から各ユーザ６の位置情報等と、各車載装置４０から各車両５の位置情報等とを、収集し、接触可能性があるユーザ６と車両５とを抽出する。
【００２４】
車載装置４０は、車両５の各センサに基づいた車両５の位置情報等をサーバ装置３０に送信する。
【００２５】
端末装置１０、サーバ装置３０および車載装置４０は、ネットワーク３を介して、例えば、通信プロトコルにＴＣＰ／ＩＰ等を用いて相互にデータの送受信が可能になっている。なお、ネットワーク３は、例えば、インターネット、専用通信回線（例えば、ＣＡＴＶ（Community Antenna Television）回線）、移動体通信網（基地局等を含む）、およびゲートウェイ等により構築されている。
【００２６】
［２．各装置の構成および機能］
（２．１  端末装置１０の構成および機能）
次に、端末装置１０の構成および機能について、図３を用いて説明する。
【００２７】
図３に示すように、コンピュータとして機能する端末装置１０は、通信部１１と、表示部１２と、撮影部１３と、記憶部１４と、センサ部１５と、操作部１６と、スピーカ部１７と、振動部１８と、を有する。例えば、端末装置１０は、パーソナルコンピュータやスマートフォンを含む携帯型無線電話機やＰＤＡ等の携帯端末である。
【００２８】
通信部１１は、無線通信機能を有する。通信部１１は、ネットワーク３の移動体通信網に接続してサーバ装置３０等との通信状態を制御する。通信部１１は、ウェアラブル端末装置２０および車載装置４０との通信のため、電波による無線通信による通信、または、赤外線による光無線データ通信による通信を行う。なお、通信部１１は、ネットワーク３を介して、車載装置４０との通信を行ってもよい。通信部１１は、予め登録してあるウェアラブル端末装置２０と通信を行う。
【００２９】
表示部１２は、例えば、液晶表示素子またはＥＬ（Electro Luminescence）素子等によって構成されている。表示部１２には、通知情報が表示される。
【００３０】
撮影部１３は、例えば、ＣＣＤ（Charge Coupled Device）イメージセンサやＣＭＯＳ（Complementary Metal Oxide Semiconductor）イメージセンサ等の撮影素子を有するカラーのデジタルカメラである。
【００３１】
記憶部１４は、例えば、シリコンディスクドライブやハードディスクドライブ等からなる。記憶部１４は、端末装置１０を制御するための各種プログラム等を記憶したりする。各種プログラムは、オペレーティングシステム、ナビゲーションや、音楽再生用のアプリケーションソフト等が挙げられる。なお、各種プログラムは、例えば、無線通信網等のネットワークを介して取得されるようにしてもよいし、ＣＤ（Compact Disc）、ＤＶＤ（Digital Versatile Disc）等の記録媒体に記録されてドライブ装置を介して読み込まれるようにしてもよい。また、記憶部１４には、通信可能なウェアラブル端末装置２０のＩＤが登録されている。
【００３２】
センサ部１５は、加速度センサ、ジャイロセンサ、温度センサ、ＧＰＳ（Global Positioning System）センサ、方位センサ等の各種のセンサである。ＧＰＳセンサは、現在位置として、緯度・経度情報を取得する。
【００３３】
操作部１６は、機械式の電源ボタン、音量ボタン等の各種ボタンや、表示部１２がタッチパネルのようなタッチスイッチ方式の表示パネルである。
【００３４】
スピーカ部１７は、例えば、通知情報や、楽曲や、音声等の音等を出力する。
【００３５】
振動部１８は、振動機構を有し、通知情報として、振動でユーザに通知する。
【００３６】
制御部１９は、例えば、ＣＰＵ（Central Processing Unit）と、ＲＯＭ（Read Only Memory）と、ＲＡＭ（Random Access Memory）と、を有する。制御部１９は、ＣＰＵが、ＲＯＭや、ＲＡＭや、記憶部１４に記憶された各種プログラムを読み出して実行する。
【００３７】
（２．２  ウェアラブル端末装置２０の構成および機能）
次に、ウェアラブル端末装置２０の構成および機能について、図４を用いて説明する。
【００３８】
図４に示すように、コンピュータとして機能するウェアラブル端末装置２０は、通信部２１と、表示部２２と、撮影部２３と、記憶部２４と、センサ部２５と、操作部２６と、スピーカ部２７と、振動部２８と、を有する。例えば、ウェアラブル端末装置２０は、時計型、眼鏡型等のユーザが身に付けることが可能な端末である。
【００３９】
通信部２１は、無線通信機能を有する。通信部２１は、電波による無線通信、または、赤外線による光無線データ通信により、端末装置１０との通信状態を制御する。通信部２１は、予め登録してある端末装置１０と通信を行う。
【００４０】
表示部２２は、例えば、液晶表示素子またはＥＬ素子等によって構成されている。表示部２２には、通知情報が表示される。
【００４１】
撮影部２３は、例えば、ＣＣＤイメージセンサやＣＭＯＳイメージセンサ等の撮影素子を有するカラーのデジタルカメラである。
【００４２】
記憶部２４は、例えば、シリコンディスクドライブやハードディスクドライブ等からなる。記憶部２４は、ウェアラブル端末装置２０を制御するための各種プログラム等を記憶したりする。各種プログラムは、オペレーティングシステム、アプリケーションソフト等が挙げられる。なお、各種プログラムは、例えば、端末装置１０を介して取得されるようにしてもよいし、ＣＤ、ＤＶＤ等の記録媒体に記録されてドライブ装置を介して読み込まれるようにしてもよい。また、記憶部２４には、通信可能な端末装置１０のＩＤが登録されている。
【００４３】
センサ部２５は、加速度センサ、ジャイロセンサ、温度センサ、脈拍センサ、接触センサ等の各種のセンサである。なお、ウェアラブル端末装置２０がＧＰＳセンサを有していない場合は、端末装置１０から現在位置の情報を取得してもよい。
【００４４】
操作部２６は、機械式の電源ボタン、音量ボタン等の各種ボタンや、表示部２２がタッチパネルのようなタッチスイッチ方式の表示パネルである。機械式のボタンは、押しボタンや、竜頭のような回転式のボタンでもよいし、押しボタンおよび回転式のボタンが組み合わさったボタンでもよい。
【００４５】
スピーカ部２７は、例えば、通知情報や、楽曲や、音声等の音等を出力する。
【００４６】
振動部２８は、振動機構を有し、通知情報として、振動でユーザに通知する。
【００４７】
制御部２９は、例えば、ＣＰＵと、ＲＯＭと、ＲＡＭと、を有する。制御部２９は、ＣＰＵが、ＲＯＭや、ＲＡＭや、記憶部２４に記憶された各種プログラムを読み出して実行する。
【００４８】
（２．３  サーバ装置３０の構成および機能）
次に、サーバ装置３０の構成および機能について、図５および図６を用いて説明する。
【００４９】
図５は、実施例に係るサーバ装置の概要構成の一例を示すブロック図である。図６は、図５のサーバ装置の移動体データベースの一例を示す模式図である。
【００５０】
図５に示すように、コンピュータとして機能するサーバ装置３０は、通信部３１と、記憶部３２と、表示部３３と、操作部３４と、制御部３５と、を有する。
【００５１】
通信部３１は、ネットワーク３に接続して、端末装置１０および車載装置４０との通信状態を制御するようになっている。サーバ装置３０は、通信部３１を介して、端末装置１０から端末装置１０の位置（緯度・経度）や移動方向の情報を取得する。サーバ装置３０は、通信部３１を介して、車載装置４０から車載装置４０の位置（緯度・経度）、移動方向、速度、加速度等の車両の情報を取得する。
【００５２】
記憶部３２は、例えば、ハードディスクドライブ、シリコンディスクドライブ等により構成されている。
【００５３】
記憶部３２は、地図データベース（地図ＤＢ）３２ａと、各車両５の位置や各端末装置１０の位置等を記憶した移動体データベース情報（移動体ＤＢ）３２ｂと、を有する。
【００５４】
地図データベース３２ａには、道路、施設、交差点の位置等のナビゲーションに必要な情報が記憶されている。また、地図データベース３２ａには、ナビゲーション用に渋滞情報や事故が起こりやすい場所等の情報も記憶されている。
【００５５】
図６に示すように、移動体データベース情報３２ｂには、各車両５から受信した各車両５の車両ＩＤと共に、車両５の位置（緯度・経度）、移動方向、速度、加速度等の情報が記憶されている。移動体データベース情報３２ｂには、各端末装置１０から受信した各端末装置１０の端末ＩＤと共に、端末装置１０の位置（緯度・経度）、移動方向等の情報が記憶されている。なお、図６に示すように、番号によって、車両ＩＤと端末ＩＤと分けてもよい。また、移動体データベース情報３２ｂには、各車両５および各端末装置１０の移動の履歴を記憶している。なお、各車両５および各端末装置１０の出発地（または現在位置）および目的地に対して算出されたルート情報を記憶しておいてもよい。
【００５６】
また、記憶部３２は、オペレーティングシステムおよびサーバプログラム等の各種プログラム等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００５７】
表示部３３は、例えば、液晶表示素子またはＥＬ素子等によって構成されている。
【００５８】
操作部３４は、例えば、キーボードおよびマウス等によって構成されている。
【００５９】
制御部３５は、例えば、ＣＰＵ、ＲＯＭ、ＲＡＭ等を有する。制御部３５は、サーバ装置３０の各部の動作を制御する。制御部３５は、記憶部３２に記憶された各種プログラムを読み出し実行することにより、各種処理等を実行する。
【００６０】
（２．４  車載装置４０の構成および機能）
次に、車載装置４０の構成および機能について、図７を用いて説明する。
図７は、実施例に係る車載装置の概要構成の一例を示すブロック図である。
【００６１】
図７に示すように、ナビゲーション装置である車載装置４０は、通信部４１と，表示部４２と、撮影部４３と、記憶部４４と、センサ情報取得部４５と、操作部４６と、制御部４７と、を有する。
【００６２】
通信部４１は、ネットワーク３に接続して、サーバ装置３０との通信状態を制御するようになっている。通信部４１は、端末装置１０との通信のため、電波による無線通信による通信、または、赤外線による光無線データ通信による通信を行う。
【００６３】
表示部４２は、カーナビゲーション装置の表示部であり、例えば、液晶表示素子またはＥＬ素子等によって構成されている。
【００６４】
撮影部４３は、例えば、ＣＣＤイメージセンサやＣＭＯＳイメージセンサ等の撮影素子を有するカラーのデジタルカメラである。撮影部４３には、車両５の前方を撮影する撮影部は、車両５の後方を撮影する撮影部等がある。
【００６５】
記憶部４４は、例えば、ハードディスクドライブ、シリコンディスクドライブ等により構成されており、地図情報等を記憶している。記憶部４４は、車載装置４０を制御するための各種プログラム等を記憶したりする。各種プログラムは、オペレーティングシステム、ナビゲーションや、音楽再生用のアプリケーションソフト等が挙げられる。なお、各種プログラムは、例えば、無線通信網等のネットワークを介して取得されるようにしてもよいし、ＣＤ、ＤＶＤ等の記録媒体に記録されてドライブ装置を介して読み込まれるようにしてもよい。
【００６６】
センサ情報取得部４５は、車両５に備え付けられたＧＰＳセンサ、方位センサ、速度センサ、高度センサ、タイマーから、車両５の位置情報（緯度・経度情報）、移動方向の情報、速度情報、高度情報、現在時刻等の情報を取得する。
【００６７】
操作部４６は、例えば、操作ボタン等によって構成されている。なお、表示部４２がタッチパネルのようなタッチスイッチ方式の表示パネルの場合、操作部４６は、ユーザが接触または近接した表示部４２の位置情報を取得する。
【００６８】
制御部４７は、例えば、ＣＰＵ、ＲＯＭ、ＲＡＭ等を有し、車載装置４０の各部の動作を制御する。
【００６９】
［３．通知システムの動作］
次に、実施例に係る通知システム２の動作について図８から図１２を用い説明する。
【００７０】
図８は、実施例に係る端末装置の動作の一例を示すフローチャートである。図９は、ユーザと車との位置関係の一例を示す模式図である。図１０は、図３の端末装置の表示部における表示の一例を示す模式図である。図１１および図１２は、図４のウェアラブル端末装置の表示部における表示の一例を示す模式図である。
【００７１】
図８に示すように、端末装置１０は、車両が接近しているか否かを判定する（ステップＳ１）。具体的には、端末装置１０の制御部１９は、センサ部１５のＧＰＳセンサ、高度センサ、方位センサ等から現在位置情報（緯度・経度、高度情報、移動方向等）を取得する。なお、端末装置１０は、端末装置１０の周辺の基地局からの電波により、現在位置情報を取得してもよい。
【００７２】
このように、端末装置１０は、前記携帯端末の現在位置情報を取得する現在位置情報取得手段の一例として機能する。
【００７３】
次に、端末装置１０は、現在位置情報として、端末装置１０の現在位置および移動方向の情報をサーバ装置３０に送信する。サーバ装置３０は、地図データベース３２ａおよび移動体データベース情報３２ｂを参照して、端末装置１０の現在位置および移動方向に基づき、端末装置１０に接近している車両５を抽出する。端末装置１０に接近している車両５を抽出できた場合、サーバ装置３０は、接近している車両５の情報を、判定結果として、端末装置１０に送信する。端末装置１０は、サーバ装置３０から接近している車両５の情報等の判定結果を受信する。
【００７４】
例えば、図９に示すように、サーバ装置３０は、交差点Ｃ１において、端末装置１０のユーザと、車両５とが出会うかを、車両５の現在位置、移動方向および速度と、端末装置１０の現在位置および移動方向および速度とに基づき、判定する。
【００７５】
このように、端末装置１０は、前記移動体の位置情報および移動方向と、前記携帯端末の現在位置情報とに基づいた、前記移動体との接触可能性を判定した判定結果を取得する判定結果取得手段の一例として機能する。
【００７６】
車両が接近している場合（ステップＳ１；ＹＥＳ）、端末装置１０は、判定結果として、車両の接近方向（移動方向の一例）や位置の情報を取得する（ステップＳ２）。具体的には、端末装置１０の制御部１９は、サーバ装置３０から、抽出した接近している車両５の接近方向や位置の情報を取得する。なお、接近方向は、地図上における端末装置１０と車両５との位置および方向から、端末装置１０と車両５とが出会う位置（例えば、交差点等）における接近方向でもよい。例えば、車両５の接近方向として、端末装置１０のユーザの移動方向に対して、前、後、左、または、右等が挙げられる。また、移動体の位置情報の一例として、端末装置１０と車両５とが出会う位置でもよい。
【００７７】
端末装置１０は、判定結果に基づき、携帯端末のユーザに対して通知する通知情報を決定する。なお、通知情報には、車両の位置および接近方向の情報から生成されるメッセージや音声も含まれる。
【００７８】
このように、端末装置１０は、前記携帯端末のユーザに対して通知する通知情報を決定する通知情報決定手段１ａの一例として機能する。端末装置１０は、前記判定結果に基づき、接触可能性があることを通知情報として決定する通知情報決定手段１ａの一例として機能する。
【００７９】
車両が接近していると判定されなかった場合（ステップＳ１；ＮＯ）、端末装置１０は、終了か否かを判定する（ステップＳ６）。具体的には、端末装置１０の制御部１９は、端末装置１０において通知情報を通知する設定がＯＦＦに操作されているか否かを判定する。ＯＦＦに操作されている場合は（ステップＳ６；ＹＥＳ）、本処理を終了する。ＯＮに操作されている場合は（ステップＳ６；ＮＯ）、制御部１９は、ステップＳ１に戻り処理を継続する。
【００８０】
次に、端末装置１０は、ユーザが歩きながら端末装置１０を使用していることを判定する（ステップＳ３）。具体的には、端末装置１０の制御部１９は、表示部１２の画面がロックの状態でない場合、端末装置１０をユーザが歩きながら使用していると判定する。なお、制御部１９は、センサ部１５の加速度センサからの情報に基づき、ユーザが歩いていると判定し、かつ、表示部１２の画面がロックの状態でない場合、端末装置１０をユーザが歩きながら使用していると判定してもよい。また、制御部１９は、撮影部１３からの画像に基づき、画像に外の風景が写っている場合、ユーザの顔が写っている場合等、端末装置１０をユーザが歩きながら使用していると判定してもよい。また、制御部１９は、操作部１６からの情報に基づき、表示部１２のタッチパネル等が操作されている場合、ユーザが歩きながら使用していると判定してもよい。
【００８１】
このように、端末装置１０は、前記携帯端末を前記ユーザが使用中であることを判定する使用判定手段１ｂの一例として機能する。
【００８２】
ユーザが歩きながら端末装置１０を使用している場合（ステップＳ３；ＹＥＳ）、端末装置１０は、通知情報をユーザに通知する必要性を判定する（ステップＳ４）。具体的には、まずは、端末装置１０の制御部１９は、前回の通知した通知情報の内容の同一性を判定する。例えば、通知情報の内容の同一性の一例として、ユーザと接近している車両とが出会う場所（交差点など）が同じであり、かつ接近する方向が同じである場合等が挙げられる。具体的には、図９に示すように、ユーザが歩く方向の前方にある交差点Ｃ１において右方向からの車両５が近づいていることが検出された場合には、「次の交差点において右方向から車が近づいています」等の通知情報が通知される。その後、同じ交差点Ｃ１において、車両５とは別の車両が右方向から近づいている場合には、車両と出合う場所と、車両が接近する方向が同じであるため、通知情報が同一であると判定される。一方で同じ交差点Ｃ１において、別の方向（例：左）から車両が近づいている場合には、「次の交差点において左方向から車が近づいています」等の通知情報となり、接近する方向が異なるため、通知情報が同一ではないと判定される。同様に、前回の通知の交差点Ｃ１と異なる交差点Ｃ２であれば、接近する方向が同じであったとしても同一ではないと判定される。
【００８３】
このように、端末装置１０は、前記通知情報を前記ユーザに通知する必要性を判定する通知判定手段の一例として機能する。
【００８４】
さらに、前回の通知した通知情報の内容が同一性の判定後、制御部１９は、前回の通知した通知情報の時刻から、予め決められた時間内の一例である所定時間（例えば、３分）内であるか否かを判定する。
【００８５】
これらの判定の結果、所定時間内の通知であって、前回の通知情報と同一性であると判定された場合は、通知情報をユーザに通知する必要性がないと判定され、所定時間内の通知ではない場合、もしくは前回の通知情報と同一性でないと判定された場合は、通知情報をユーザに通知する必要性があると判定される。
【００８６】
なお、通知のための所定時間は、端末装置１０のユーザの速度に応じて変えてもよい。例えば、速く歩いている場合は、所定時間を２分としてもよい。また、交通量の多い場合、所定時間を短くしてもよい。また、端末装置１０のユーザが、通知のための所定時間を設定できるようにしてもよい。この処理は、できるだけ同じ情報を頻繁にユーザに通知することを防止するためである。
【００８７】
なお、サーバ装置３０が、通知の同一性、および、所定時間内であるか否かの少なくとも一方を判定して、判定結果を端末装置１０に送信し、端末装置１０は、サーバ装置３０からの判定結果に基づき、ステップＳ４の処理を行ってもよい。
【００８８】
このように、端末装置１０は、予め決められた時間内に前記通知情報を再度決定した場合には、前記通知情報を再度通知しない通知手段１ｄの一例として機能する。端末装置１０は、前記予め決められた時間内であっても、前記通知判定手段が前記通知情報を通知する必要性があると判定した場合、前記通知情報を再度通知する通知手段１ｄの一例として機能する。
【００８９】
通知情報をユーザに通知する必要性がある場合（ステップＳ４；ＹＥＳ）、端末装置１０は、通知情報を出力する（ステップＳ５）。具体的には、端末装置１０の制御部１９は、振動部１８を振動させ、図１０に示すように、表示部１２に車両５の接近方向に基づいたメッセージ（通知情報の一例）を表示させる。なお、制御部１９は、スピーカ部１７に、音声で車両５の接近方向に基づいたメッセージの内容を出力してもよい。
【００９０】
このように、端末装置１０は、前記携帯端末を前記ユーザが使用中である場合、前記通知情報を通知する通知手段１ｄの一例として機能する。
【００９１】
通知情報をユーザに通知する必要性がない場合（ステップＳ４；ＮＯ）、または、ステップＳ５の処理の後に、端末装置１０は、終了か否かを判定する（ステップＳ６）。
【００９２】
終了でないと判定された場合（ステップＳ６；ＮＯ）、端末装置１０は、ステップＳ１の処理に戻る。
【００９３】
ユーザが歩きながら端末装置１０を使用していないと判定された場合（ステップＳ３；ＮＯ）、端末装置１０は、コンテンツを再生しているか否かを判定する（ステップＳ７）。具体的には、端末装置１０の制御部１９は、音楽、ニュース、映画等のコンテンツを再生するアプリケーションが起動されていて、音声が出力されているか否かを判定する。
【００９４】
なお、端末装置１０をユーザのポケットやカバンに入れた状態で、音楽等のコンテンツを再生している場合、直接的に操作する端末装置１０を使用していないが、間接的に使用しているとしてもよい。このように、端末装置１０は、前記携帯端末を前記ユーザが使用中であることを判定する使用判定手段１ｂの一例として機能する。
【００９５】
音楽を再生していると判定された場合（ステップＳ７；ＹＥＳ）、端末装置１０は、ステップＳ４のように、通知情報をユーザに通知する必要性を判定する（ステップＳ８）。
【００９６】
通知情報をユーザに通知する必要性がある場合（ステップＳ８；ＹＥＳ）、端末装置１０は、通知情報を出力する（ステップＳ９）。具体的には、端末装置１０の制御部１９は、スピーカ部１７に、音声で車両５の接近方向に基づいたメッセージの内容を出力する。このとき、制御部１９は、再生中の音楽の音量を下げるように、制御してもよい。なお、端末装置１０の制御部１９は、振動部１８も振動させて、通知を行ってもよい。
【００９７】
このように、端末装置１０は、前記携帯端末を前記ユーザが使用中である場合、前記通知情報を通知する通知手段１ｄの一例として機能する。
【００９８】
通知情報をユーザに通知する必要性がない場合（ステップＳ８；ＮＯ）、または、ステップＳ９の処理の後に、端末装置１０は、終了か否かを判定する（ステップＳ６）。
【００９９】
音楽を再生していないと判定された場合（ステップＳ７；ＮＯ）、通知システム２は、ウェアラブル端末装置２０を装着しているか否かを判定する（ステップＳ１０）。具体的には、端末装置１０の制御部１９は、通信部１１を介して、ＩＤが予め登録されているウェアラブル端末装置２０との通信を試み、ウェアラブル端末装置２０を検出する。
【０１００】
このように、端末装置１０は、前記携帯端末と接続された前記他の端末を検出する端末検出手段１ｃの一例として機能する。
【０１０１】
端末装置１０との通信可能となったウェアラブル端末装置２０の制御部２９は、温度センサ、脈拍センサ、接触センサ等のセンサ部２５からの情報に基づき、ウェアラブル端末装置２０のユーザ（端末装置１０）が、装着しているか否かを判定する。なお、制御部２９は、この判定結果を、ＩＤが予め登録されている端末装置１０に送信し、端末装置１０の制御部１９が、ウェアラブル端末装置２０からの判定結果に基づき、ウェアラブル端末装置２０を装着しているか否かを判定してもよい。また、端末装置１０にウェアラブル端末装置２０に関するアプリケーションソフトがインストールされていない場合、端末装置１０は、装着していないと判断してもよい。
【０１０２】
ウェアラブル端末装置２０を装着していると判定された場合（ステップＳ１０；ＹＥＳ）、通知システム２は、ステップＳ４のように、通知情報をユーザに通知する必要性を判定する（ステップＳ１１）。例えば、ウェアラブル端末装置２０、または、端末装置１０がステップＳ４のように、通知情報をユーザに通知する必要性を判定する。なお、ウェアラブル端末装置２０が判定する場合は、端末装置１０から、この判定に必要な情報を取得する。
【０１０３】
通知情報をユーザに通知する必要性がある場合（ステップＳ１１；ＹＥＳ）、通知システム２は、通知情報を出力する（ステップＳ１２）。具体的には、端末装置１０の制御部１９は、車両５の接近方向の情報等の通知情報をウェアラブル端末装置２０に送信する。通知情報を受信したウェアラブル端末装置２０の制御部２９は、ステップＳ５のように、振動部２８を振動させたり、表示部２２に車両５の接近方向に基づいたメッセージ（通知情報の一例）を表示させたり、スピーカ部２７に、音声で車両５の接近方向に基づいたメッセージの内容（通知情報の一例）を出力したりする。
【０１０４】
このように、端末装置１０は、前記携帯端末を前記ユーザが使用中でない場合、前記端末検出手段１ｃにより検出された前記他の端末に対し、前記通知情報を送信する送信手段１ｅの一例として機能する。
【０１０５】
また、図１１に示すように、ウェアラブル端末装置２０が眼鏡型の場合、ウェアラブル端末装置２０の表示部２２のレンズに、通知情報の一例として、重畳させて接近してきている車両がフォーカス表示されるようにしてもよい。また、表示部２２のレンズに、通知情報の一例として、メッセージを表示してもよい。図１２に示すように、表示部２２のレンズに、通知情報の一例として、車両５の接近方向を、矢印等の図形で表すように表示してもよい。例えば、図１２において、図中上から、左方向から接近、右方向から接近、前方から接近、後方から接近の図形例を示している。なお、接近する車両５とユーザとの距離に応じて矢印の表示態様を変えてもよい。具体的には、距離が近いほど、矢印を大きくしたり表示を目立たせてもよい。また、接近する車両５の速度に応じて矢印の表示態様を変えてもよい。具体的には、距離が近いほど、矢印を大きくしたり表示を目立たせてもよい。また、矢印ではなく、その他のマークでもよい。
【０１０６】
なお、ユーザの使用状況に応じて、ユーザが最も気づきやすい通知方法で、通知情報を出力すればよい。このように、端末装置１０は、携帯端末の使用態様としてユーザが歩きながら操作していると判定された場合は、前記通知情報を前記携帯端末の表示部に表示し、携帯端末の使用態様としてコンテンツを再生していると判定された場合は、前記通知情報を音声情報として出力する通知手段１ｄの一例として機能する。
【０１０７】
また、ステップＳ３、ステップＳ７、および、ステップＳ１０のように、端末装置１０は、端末装置の使用態様を判定している。このように、端末装置１０は、前記携帯端末の使用態様を判定する使用判定手段１ｂの一例として機能する。
【０１０８】
ウェアラブル端末装置２０を装着していないと判定された場合（ステップＳ１０；ＮＯ）、通知システム２は、終了か否かを判定する（ステップＳ６）。具体的には、端末装置１０の制御部１９は、ウェアラブル端末装置２０からの装着していないとする判定結果に基づき、ウェアラブル端末装置２０を装着していないと判定した場合、端末装置１０において通知情報をユーザに通知する設定がＯＦＦに操作されているか否かを判定する。ＯＦＦに操作されている場合は（ステップＳ６；ＹＥＳ）、本処理を終了する。ＯＮに操作されている場合は（ステップＳ６；ＮＯ）、ステップＳ１に戻り処理を継続する。なお、端末装置１０は、ウェアラブル端末装置２０と通信できないと判定された場合、端末装置１０は、終了か否かを判定してもよい。
【０１０９】
ウェアラブル端末装置２０を装着していないと判定された場合（ステップＳ１０；ＮＯ）、ユーザがカバン等に端末装置１０を収納していることが多いので、端末装置１０の制御部１９は、振動部１８を振動させ、スピーカ部１７から音を出力させる等、ユーザにできるだけ気づかせるようにしてもよい。この場合、ステップＳ５、ステップＳ９で通知情報を出力する場合よりも目立たせた出力やより気付きやすい出力を行ってもよい。具体的には、ステップＳ５では振動部１８を振動させていたが、その振動レベルをより大きくして出力してもよい。また、ステップＳ９では音声で通知情報を通知していたが、その音声のレベルをより大きくして出力してもよい。
【０１１０】
通知情報をユーザに通知する必要性がない場合（ステップＳ１１；ＮＯ）、通知情報がウェアラブル端末装置２０に送信されず、端末装置１０は、終了か否かを判定する（ステップＳ６）。
【０１１１】
このように、端末装置１０は、予め決められた時間内に前記通知情報を再度決定した場合には、前記通知情報を再度送信しない通知手段１ｄの一例として機能する。端末装置１０は、前記予め決められた時間内であっても、前記通知判定手段が前記通知情報を通知する必要性があると判定した場合、前記通知情報を再度送信する送信手段１ｅの一例として機能する。
【０１１２】
以上説明したように、実施例に係る動作によれば、端末装置１０（携帯端末１の一例）をユーザが使用中である場合、通知情報を通知し、端末装置１０をユーザが使用中でない場合、検出された他の端末（ウェアラブル端末装置２０や、ユーザの他の携帯端末）に対し、通知情報を送信するので、ユーザが端末装置１０を使用中であるかに応じて、端末装置１０から通知するか、ウェアラブル端末装置２０から通知するのかを切り分けるので、ユーザが気づきやすくなる。
【０１１３】
他の端末が、ウェアラブル端末装置２０のようなユーザが身に付けることが可能な端末である場合、ユーザが身に付けているので、気づきやすくなる。また、通知する必要があるユーザのみに限定できる。
【０１１４】
車両５（移動体の一例）から車両５の位置情報および移動方向を受信し、端末装置１０の現在位置情報を取得し、位置情報および移動方向と、現在位置情報とに基づき、車両５との接触可能性を判定し、判定結果に基づき、接触可能性があることを通知情報として決定する場合、接触可能性がある重要な情報を通知できる。
【０１１５】
予め決められた時間内に通知情報を再度決定した時には、通知情報を再度通知せず、通知情報を他の端末に再度送信しない場合、通知の煩わしさを解消できる。
【０１１６】
通知情報をユーザに通知する必要性を判定し、予め決められた時間内であっても、通知情報を通知する必要性があると判定した時、通知情報を再度通知し、通知情報を他の端末に再度送信する場合、重要な情報をユーザに通知できる。例えば、車両５の接近方向が異なる場合や、交差点が異なる場合は、同じ通知内容でないので、新しい重要な情報として、予め決められた時間内であっても通知する。
【０１１７】
端末装置１０の使用態様を判定し、端末装置１０の使用態様としてユーザが歩きながら操作していると判定された場合は、通知情報を携帯端末１０の表示部１２に表示し、携帯端末１０の使用態様としてコンテンツを再生していると判定された場合は、通知情報を音声情報として出力する場合、ユーザが最も気づきやすい通知の仕方で、ユーザが気づきやすくなる。具体的には、ユーザが端末装置１０を歩きながら操作している場合（図８  Ｓ３  ＹＥＳ）には、ユーザは端末装置１０のディスプレイを見ていることが考えられるため、通知情報の通知を端末装置１０のディスプレイに行う。また端末装置１０が音楽等のコンテンツを再生している場合（図８  Ｓ７  ＹＥＳ）には、ユーザは端末装置１０で再生されている音楽を聴いていることが考えられるため、通知情報を音声情報で通知する。
【０１１８】
さらに携帯端末１０と接続された他の端末２０が複数検出され、それぞれがウェアラブル端末であり、ユーザが装着している場合は、それぞれのウェアラブル端末の使用態様に応じてどちらに通知情報を通知するかを決定してもよい。具体的には、装着している複数のウェアラブル端末のうち、電池残量が多いウェアラブル端末に通知情報を通知してもよい。また装着している封数のウェアラブル端末が、腕時計型（リストバンド型）と、眼鏡型である場合に、天候情報や昼か夜かなどの周囲の環境に応じてどちらに通知情報を通知するかを決定してもよい。具体的には、天候が悪かったり、日差しが強かったり、夜である場合には、眼鏡型のウェアラブル端末に通知情報を通知してもユーザが見づらいことが想定されるので、その場合は眼鏡型のウェアラブル端末には通知情報を通知せず、腕時計型（リストバンド型）のウェアラブル端末に振動で通知してもよい。
【符号の説明】
【０１１９】
１：携帯端末
２：通知システム
１０：携帯端末（携帯端末）
２０：ウェアラブル端末装置（他の端末）
３０：サーバ装置
４０：車載装置
【図１】
2016184276.tif 000003
【図２】
2016184276.tif 000004
【図３】
2016184276.tif 000005
【図４】
2016184276.tif 000006
【図５】
2016184276.tif 000007
【図６】
2016184276.tif 000008
【図７】
2016184276.tif 000009
【図８】
2016184276.tif 000010
【図９】
2016184276.tif 000011
【図１０】
2016184276.tif 000012
【図１１】
2016184276.tif 000013
【図１２】
2016184276.tif 000014